(57)【特許請求の範囲】
【請求項１】
胴体の端縁と天板及び地板の少なくとも何れか一方の外周縁とを巻締めにより相互に結合して形成されたチャイムを有するドラム缶の汚れ拭き取り装置であって、
前記ドラム缶をその胴体周方向に回転させる回転機構と、
拭き取り材の幅方向が前記ドラム缶の前記胴体高さ方向となる姿勢で前記ドラム缶側の前記チャイム近傍に向けて前記ドラム缶の回転方向に沿って送り出す送り出し機構と、
前記送り出し機構によって送り出された前記拭き取り材を所定の張力を付与しながら巻き取る巻き取り機構と、
前記送り出し機構と前記巻き取り機構との間を搬送される前記拭き取り材を前記ドラム缶の前記チャイムを含む領域に押圧接触させる押圧機構と
を備え、
前記押圧機構は、前記拭き取り材を前記ドラム缶の前記チャイムを含む領域にパットによって押圧接触させ、
前記パットは、前記ドラム缶の前記胴体高さ方向で見て、前記チャイムの前記胴体と反対側に位置する外端縁部から前記チャイムの頂部に亘って前記拭き取り材を押圧接触可能な形状を有した第１パットを含むことを特徴とするドラム缶用汚れ拭き取り装置。
【請求項２】
前記パットは、前記ドラム缶の前記胴体高さ方向で見て、前記胴体から前記チャイムの前記胴体側に位置する内端縁部を経て前記頂部に亘って前記拭き取り材を押圧接触可能な形状を有した第２パットを含むことを特徴とする請求項１に記載のドラム缶用汚れ拭き取り装置。
【請求項３】
前記送り出し機構、前記巻き取り機構、及び前記押圧機構は、一体に移動可能な前記拭き取り材による拭き取りユニットを構成することを特徴とする請求項１又は２に記載のドラム缶用汚れ拭き取り装置。
【請求項４】
前記拭き取りユニットは、前記ドラム缶の前記胴体高さ方向における位置を調整するための昇降機構を有することを特徴とする請求項３に記載のドラム缶用汚れ拭き取り装置。
【請求項５】
前記拭き取りユニットは、前記ドラム缶の前記胴体径方向における位置を調整するための進退機構を有することを特徴とする請求項３又は４に記載のドラム缶用汚れ拭き取り装置。
【請求項６】
前記拭き取りユニットは前記天板側と前記地板側との双方に設けられることを特徴とする請求項３乃至５の何れかに記載のドラム缶用汚れ拭き取り装置。
【請求項７】
前記拭き取り材には洗浄剤が含浸されていることを特徴とする請求項１乃至６の何れかに記載のドラム缶用汚れ拭き取り装置。
【発明の詳細な説明】
【技術分野】
【０００１】
本発明は、ドラム缶用汚れ拭き取り装置に関し、詳しくは胴体の端縁と天板及び地板の少なくとも何れか一方の外周縁とを巻締めにより相互に結合して形成されたチャイムを有するドラム缶の汚れ拭き取り装置に関する。
【背景技術】
【０００２】
この種のドラム缶は、化学製品及び石油、ガソリン、潤滑油など液体の油脂類、粘性が比較的高い液体危険物、粉体又は固体等の出し入れが容易ではない内容物等の充填輸送に好適し、円筒状をなした中空の胴体と、胴体の下端開口を閉塞する地板と、胴体の上端開口を閉塞する天板とから構成されたものが知られている。このドラム缶は、密閉型の場合には、胴体の下端縁及び地板の外周縁と、胴体の上端縁及び天板の外周縁とは、巻締めにより相互に結合されてそれぞれチャイムが形成される（例えば、特許文献１参照）。
また、ドラム缶の天板の汚れを拭き取るための汚れ拭き取り装置が開示されている（例えば、特許文献２参照）。
【先行技術文献】
【特許文献】
【０００３】
【特許文献１】特開２００２−１０２９７１号公報
【特許文献２】特許第３０６０６９９号公報
【発明の概要】
【発明が解決しようとする課題】
【０００４】
ところで、上記チャイムはシーマー（巻締機）による巻き締め加工等によって形成されるため、チャイム及びその近傍には、その加工時に使用する潤滑油や加工時に発生する摩耗鉄粉等が付着し易い。従って、ドラム缶の製造工程における塗装前に作業員がチャイム及びその近傍の汚れの拭き取りをウエス等で行っていた。しかし、作業員による拭き取り作業は重労働であり、また、汚れの拭き残しが発生すると、完成したドラム缶の外装不良を招くおそれもあった。
【０００５】
また、チャイム及びその近傍への汚れ付着を気にする余り、シーマー潤滑油量を少量にすると、ドラム缶において最も重要な内容物漏洩防止を保証するチャイム加工が阻害され、ひいてはチャイムの適正な巻き締め品質が確保できないおそれがあった。しかしながら、上記特許文献２ではチャイム及びその近傍の汚れ除去について格別な配慮がなされておらず、ドラム缶の生産性及び品質性能の双方を高めるには依然として課題が残されている。
【０００６】
本発明は上述の事情に基づいてなされたもので、その目的とするところは、シーマー潤滑油を充分に吹き付け、ドラム缶において最も重要な内容物漏洩防止を保証するチャイム加工を行い、その後にドラム缶のチャイム及びその近傍の汚れを自動で除去することにより、ドラム缶の生産性及び品質性能の双方を高めることができるドラム缶用汚れ拭き取り装置を提供することにある。
【課題を解決するための手段】
【０００７】
上記の目的を達成するため、本発明のドラム缶用汚れ拭き取り装置は、胴体の端縁と天板及び地板の少なくとも何れか一方の外周縁とを巻締めにより相互に結合して形成されたチャイムを有するドラム缶の汚れ拭き取り装置であって、ドラム缶をその胴体周方向に回転させる回転機構と、拭き取り材の幅方向がドラム缶の胴体高さ方向となる姿勢でドラム缶側のチャイム近傍に向けてドラム缶の回転方向に沿って送り出す送り出し機構と、送り出し機構によって送り出された拭き取り材を所定の張力を付与しながら巻き取る巻き取り機構と、送り出し機構と巻き取り機構との間を搬送される拭き取り材をドラム缶のチャイムを含む領域に押圧接触させる押圧機構とを備え、押圧機構は、拭き取り材をドラム缶のチャイムを含む領域にパットによって押圧接触させ、パットは、ドラム缶の胴体高さ方向で見て、チャイムの反胴体側に位置する外端縁部からチャイムの頂部に亘って拭き取り材を押圧接触可能な形状を有した第１パットを含む。
【０００８】
好ましくは、パットは、ドラム缶の胴体高さ方向で見て、胴体からチャイムの胴体側に位置する内端縁部を経て頂部に亘って拭き取り材を押圧接触可能な形状を有した第２パットを含む。
好ましくは、送り出し機構、巻き取り機構、及び押圧機構は、一体に移動可能な拭き取り材による拭き取りユニットを構成する。
この場合において具体的には、拭き取りユニットは、ドラム缶の胴体高さ方向における位置を調整するための昇降機構を有する。
また、拭き取りユニットは、ドラム缶の胴体径方向における位置を調整するための進退機構を有する。
【００１０】
また、好ましくは、拭き取りユニットは天板側と地板側との双方に設けられる。
また、好ましくは、拭き取り材には洗浄剤が含浸されている。
【発明の効果】
【００１１】
本発明のドラム缶用汚れ拭き取り装置によれば、シーマー潤滑油を充分に吹き付け、ドラム缶において最も重要な内容物漏洩防止を保証するチャイム加工を行い、その後に本発明のドラム缶用汚れ拭き取り装置によってドラム缶のチャイム及びその近傍の汚れを自動で除去することにより、ドラム缶の生産性及び品質性能の双方を高めることができる。
【図面の簡単な説明】
【００１２】
【図１】本発明の一実施例に係るドラム缶用汚れ拭き取り装置の概略を示した斜視図である。
【図２】図１の下側拭き取りユニットの第１パットとこれを駆動する進退シリンダ及び昇降シリンダとを示した模式図である。
【図３】図１の下側拭き取りユニットの第２パットとこれを駆動する進退シリンダ及び昇降シリンダとを示した模式図である。
【図４】図１の上側拭き取りユニットの第１パットとこれを駆動する進退シリンダ及び昇降シリンダとを示した模式図である。
【図５】図１の上側拭き取りユニットの第２パットとこれを駆動する進退シリンダ及び昇降シリンダとを示した模式図である。
【図６】図１の汚れ拭き取り装置を構成する各部の動作タイミングの一例を示したタイムチャートである。
【発明を実施するための形態】
【００１３】
図１はドラム缶の一例である密閉型ドラム缶（クローズ缶）２とその汚れ拭き取り装置（ドラム缶用汚れ拭き取り装置）４を示す。ドラム缶２は、円筒状をなした中空の胴体６と、この胴体６の下端開口を閉塞する円形の地板８と、上端開口を閉塞する円形の天板１０とを備える。
胴体６の下端縁と地板８の外周縁とは充填剤を介在させた状態でシーマー（巻締機）による巻締めにより相互に結合され、いわゆるチャイム１２を形成し、胴体６の上端縁と天板１０の外周縁とも同様のチャイム１４を形成している。
【００１４】
汚れ拭き取り装置４は、ドラム缶２をその胴体周方向に回転させる回転機構１６、チャイム１４の汚れを拭き取る上側拭き取りユニット（拭き取りユニット）１８、チャイム１２の汚れを拭き取る下側拭き取りユニット（拭き取りユニット）２０から概略構成されている。回転機構１６は、ドラム缶２を地板８及び天板１０において挟持する上側支持部２２及び下側支持部２４から構成され、これら上側及び下側支持部２２，２４に図示しない駆動部から回転力が付与されることにより、ドラム缶２が図１に示す回転方向Ｘに回転される。
【００１５】
上側拭き取りユニット１８及び下側拭き取りユニット２０は略同一の構成をなしているため、下側拭き取りユニット２０を代表して説明する。下側拭き取りユニット２０は、チャイム１２の汚れ拭き取り材であるタオル２６の送り出し機構２８、チャイム１２の汚れ拭き取り後のタオル２６を巻き取る巻き取り機構３０、送り出し機構２８と巻き取り機構３０との間を搬送されるタオル２６をドラム缶２のチャイム１２を含む領域に押圧接触させる押圧機構３２から概略構成されている。
【００１６】
送り出し機構２８は、２つのロール３４，３６と支軸３８とから概略構成されている。支軸３８にタオル２６を巻回した市販のロールタオル４０（例えば幅２１０ｍｍ、１８ｍ巻）の巻き体芯部の空洞を挿入することでロールタオル４０が送り出し機構２８にセットされる。送り出し機構２８はいわゆるピンチロールであって、タオル２６の端縁を各ロール３４，３６間の微小隙間に挟み込み、各ロール３４，３６を図示しないブレーキ付きモータなどの駆動部によって回転させることにより、各ロール３４，３６との摩擦力によってロールタオル４０からタオル２６が引き出される。
【００１７】
そして、タオル２６は、その幅方向をドラム缶の胴体高さ方向、即ち上下方向Ｙとする姿勢で、ドラム缶２側のチャイム１２近傍に向けてドラム缶２の回転方向Ｘに沿う搬送方向Ｚで送り出される。
送り出し機構２８と巻き取り機構３０との間には、送り出し機構２８及び巻き取り機構３０よりもドラム缶２側に支軸４２，４４が配置され、タオル２６は支軸４２，４４によって誘導されながら支軸４２，４４とドラム缶２との間を搬送される。巻き取り機構３０のタオル２６の巻き取り速度を送り出し機構２８のタオル２６の送り出し速度よりも若干大きくすることにより、送り出し機構２８によってロールタオル４０からドラム缶２側に向けて送り出されたタオル２６に所定の張力Ｆを付与される。
【００１８】
巻き取り機構３０は、巻き取り軸４６から概略構成され、図示しないモータなどの駆動部によって巻き取り軸４６を回転駆動させることにより、送り出し機構２８から送り出されたタオル２６を巻き取って使用済みロールタオル４８の巻き体を形成する。
押圧機構３２は、支軸４２，４４間のタオル２６の搬送領域、換言すると汚れ拭き取り領域５０よりも外側、即ち反ドラム缶側に配置され、第１パット（パット）５２、第２パット（パット）５４、第１パット５２用の進退シリンダ５６及び昇降シリンダ５８、第２パット５４用の進退シリンダ６０及び昇降シリンダ６２から概略構成されている。第１パット５２と第２パット５４とは、汚れ拭き取り領域５０において、搬送方向Ｚに完全にずれた位置に配置され、更に上下方向Ｙにおいては第２パット５４が第１パット５２よりも若干上側に配置されている。
【００１９】
進退シリンダ５６，６０及び昇降シリンダ５８，６２は、エアシリンダやオイルシリンダ等のアクチュエータであって、進退シリンダ５６，６０の後述するロッド６４，６６の一端がそれぞれ第１及び第２パット５２，５４に結合されている。
このように構成される押圧機構３２は、進退シリンダ５６，６０及び昇降シリンダ５８，６２を駆動することにより、タオル２６をドラム缶２のチャイム１２を含む領域に第１及び第２パット５２，５４によって押圧接触させる。
【００２０】
上述した送り出し機構２８、巻き取り機構３０、及び押圧機構３２は、１つの基材６４に固定され、この基材６４を進退昇降機構（昇降機構、進退機構）６５の駆動部で駆動することにより、ドラム缶２の胴体径方向、即ち下側拭き取りユニット２０をドラム缶２に対し進退させる進退方向Ａ、及び上下方向である昇降方向Ｂに一体に移動可能に構成されている。なお、上側拭き取りユニット１８と下側拭き取りユニット２０との違いは、上側拭き取りユニット１８の第１パット５２が下側拭き取りユニット２０の第１パット５２を上下反転させてロッド６４に結合しているのみであり、上側拭き取りユニット１８は下側拭き取りユニット２０とほぼ同様の構成をなしているため、上側拭き取りユニット１８については同符号を付して説明を省略する。
【００２１】
図２に示されるように、第１パット５２は、断面視Ｌ字形状を有するウレタンやフェルト等の低反発材から成形され、ドラム缶２の胴体高さ方向、即ち上下方向Ｙで見て、チャイム１２の反胴体側に位置する外端縁部６８からチャイム１２の頂部７０に亘る凸円弧面７２にタオル２６を押圧接触可能に形成されている。
詳しくは、本実施例の場合の第１パット５２は、ドラム缶２の胴体径方向に延び、外端縁部６８にタオル２６を押圧する突出部７４と、突出部７４から略垂直に屈曲されてドラム缶２の胴体高さ方向に延び、チャイム１２の頂部７０にタオル２６を押圧する平坦部７６とから構成されている。
【００２２】
第１パット５２における突出部７４と平坦部７６との間のドラム缶２側の面は、凸円弧面７２と略同一の曲率半径を有する凹円弧面７８に形成され、この凹円弧面７８がタオル２６を介して凸円弧面７２に合致するようにして適度に変形しながら気密に押圧されることにより、チャイム１２の凸円弧面７２をタオル２６によって拭き残し無く拭くことが可能となる。
【００２３】
凸円弧面７２への凹円弧面７８の合致は、進退シリンダ５６及び昇降シリンダ５８により行われる。具体的には、先ず、図２に実線で示す位置に第１パット５２を配置した状態でタオル２６を汚れ拭き取り領域５０にセットする。次に、進退シリンダ５６及び昇降シリンダ５８を制御して第１パット５２を図２に示す矢印方向に前進及び上昇させることにより、図２の破線で示す位置に第１パット５２を移動し、凸円弧面７２に凹円弧面７８を合致させる。
【００２４】
一方、図３に示されるように、第２パット５４は、断面視Ｉ字形状を有する第１パット５２と同様の低反発材から成形され、ドラム缶２の胴体高さ方向、即ち上下方向Ｙで見て、胴体６からチャイム１２の胴体６側に位置する内端縁部８０を経て頂部７０に亘る凸円弧面８２にタオル２６を押圧接触可能に形成されている。
詳しくは、本実施例の場合の第２パット５４は、ドラム缶２の胴体径方向に延び、内端縁部８０にタオル２６を押圧する水平面８４と、ドラム缶２の胴体高さ方向に延び、チャイム１２近傍の胴体６にタオル２６を押圧する垂直面８６とを有する。
【００２５】
第２パット５４における水平面８４と垂直面８６との間の角部８８は、内端縁部８０と胴体６との間の隅部９０にタオル２６を介して変形しながら入り込み、更に水平面８４が変形しながらタオル２６を介して凸円弧面８２に合致することにより、チャイム１２近傍の胴体６、チャイム１２の隅部９０及び凸円弧面８２をタオル２６によって拭き残し無く拭くことが可能となる。
【００２６】
胴体６、隅部９０及び凸円弧面８２への垂直面８６、角部８８及び水平面８４の合致は、進退シリンダ６０及び昇降シリンダ６２により行われる。
具体的には、先ず、図３に実線で示す位置に第２パット５４を配置した状態でタオル２６を汚れ拭き取り領域５０にセットする。次に、進退シリンダ６０及び昇降シリンダ６２を制御して第２パット５４を図３の矢印方向に前進及び下降させることにより、図３の破線で示す位置に第２パット５４を移動し、胴体６、隅部９０及び凸円弧面８２にそれぞれ垂直面８６、角部８８及び水平面８４を合致させる。
【００２７】
上述した進退シリンダ５６，６０及び昇降シリンダ５８，６２は、それぞれ同様のシリンダ９２、ピストン９４、ロッド６４，６６，９６，９８を有して構成されている。上述したように進退シリンダ５６，６０のロッド６４，６６の一端がそれぞれ第１及び第２パット５２，５４に結合され、更には昇降シリンダ５８，６２のロッド９６，９８の一端がそれぞれ進退シリンダ５６，６０に結合されている。これより、進退シリンダ５６，６０及び昇降シリンダ５８，６２を制御することで、第１及び第２パット５２，５４を個々に進退方向Ａ及び昇降方向Ｂに移動させることができる。
【００２８】
図４及び図５に示されるように、上側拭き取りユニット１８によるチャイム１４の汚れ拭き取りは、チャイム１２の場合と向きが異なるものの、下側拭き取りユニット２０によるチャイム１２の汚れ拭き取りと同様に行われるため、図２及び図３と同符号を付して説明を省略する。
このように構成される汚れ拭き取り装置４は、ドラム缶２の製造プラントにおいてチャイム１２，１４の巻き締め工程が行われる巻き締めセクションと、ドラム缶への塗装工程が行われる塗装セクションとの間に設置され、塗装工程の前にチャイム１２，１４及びこれらの近傍の汚れ拭き取りが行われる。
【００２９】
図６を参照して、汚れ拭き取り装置４を構成する各機構の動作タイミングを詳しく説明する。なお、タオル２６は汚れ拭き取り領域５０に予めセットされているものとする。
先ず、ドラム缶２が自動搬送されて来ると、回転機構１６を起動させ、上側支持部２２及び下側支持部２４によりドラム缶２を挟持し、回転方向Ｘに回転させる。また、回転機構１６の起動とほぼ同じタイミングで、上側及び下側拭き取りユニット１８，２０をドラム缶２側に前進させる。
【００３０】
次に、押圧機構３２を起動し、上側及び下側拭き取りユニット１８，２０の第１及び第２パット５２，５４を進退シリンダ５６，６０により前進させる。
次に、下側拭き取りユニット２０の第１パット５２、及び上側拭き取りユニット１８の第２パット５４を上昇させるとともに、下側拭き取りユニット２０の第２パット５４、及び上側拭き取りユニット１８の第１パット５２を下降させる。これより、回転機構１６によって回転中のドラム缶２のチャイム１２，１４及びこれらの近傍の胴体６に、タオル２６を介して上側及び下側拭き取りユニット１８，２０の第１及び第２パット５２，５４が気密に押圧され、汚れ拭き取り領域５０のタオル２６によるチャイム１２，１４及びこれらの近傍の汚れの拭き取りが所定の拭き取り時間ｔ１の間継続して行われる。
【００３１】
拭き取り時間ｔ１は、回転機構１６によるドラム缶２の回転速度に応じて、ドラム缶２の回転が少なくとも１回転以上となってチャイム１２，１４を全周に亘って拭き取り可能な時間が確保されており、この時間は例えば１．５〜２秒程度である。
次に、拭き取り時間ｔ１が経過すると、回転機構１６を停止させ、上側及び下側拭き取りユニット１８，２０を反ドラム缶２側に後退させ、第１及び第２パット５２，５４を後退させるとともに、下側拭き取りユニット２０の第１パット５２、及び上側拭き取りユニット１８の第２パット５４を下降させ、下側拭き取りユニット２０の第２パット５４、及び上側拭き取りユニット１８の第１パット５２を上昇させる。
【００３２】
次に、上側及び下側拭き取りユニット１８，２０の第１及び第２パット５２，５４の後退、下側拭き取りユニット２０の第１パット５２、及び上側拭き取りユニット１８の第２パット５４の下降、下側拭き取りユニット２０の第２パット５４、及び上側拭き取りユニット１８の第１パット５２の上昇が終了したのとほぼ同じタイミングで、送り出し機構２８及び巻き取り機構３０を起動する。具体的には、各ロール３４，３６及び巻き取り軸４６はタオル２６の所定のタオル送り時間ｔ２の間継続して回転駆動される。タオル送り時間ｔ２は、各ロール３４，３６及び巻き取り軸４６の回転速度に応じて、汚れ拭き取り領域５０の汚れたタオル２６が巻き取り機構３０側に搬送され、汚れの無いきれいなタオル２６が送り出し機構２８側から汚れ拭き取り領域５０に供給可能な時間が確保されており、この時間は例えば０．５〜１秒程度である。即ち、ロールタオル４０からは予め定められた送り長さ及び頻度によりタオル２６がピッチ送りされ、汚れ拭き取り領域５０をずらしながら汚れ拭き取り装置４の運転が行われる。
【００３３】
次に、タオル送り時間ｔ２が経過すると、送り出し機構２８及び巻き取り機構３０を停止させ、汚れ拭き取り装置４に搬送される次回のドラム缶２の待機状態となる。上述した回転機構１６の起動から送り出し機構２８及び巻き取り機構３０の停止までは、１つのドラム缶２の汚れを拭き取りに要する汚れ拭き取り装置４の装置作動時間ｔ３であり、この装置作動時間ｔ３は例えば２．５〜３秒程度である。なお、拭き取り時間ｔ１及びタオル送り時間ｔ２及びこれらの時間の到来頻度は、図示しないタイマーにより任意に設定可能であり、それに応じて装置作動時間ｔ３も変更可能である。これにより、製造ラインを自動搬送されるドラム缶２の搬送数に応じて汚れ拭き取り装置４の処理能力を適宜変更することが可能となる。
【００３４】
以上のように本実施例では、シーマー潤滑油を充分に吹き付け、ドラム缶において最も重要な内容物漏洩防止を保証するチャイム加工を行い、その後に本発明のドラム缶用汚れ拭き取り装置によってドラム缶のチャイム及びその近傍の汚れを自動で除去することにより、ドラム缶の生産性及び品質性能の双方を高めることができる。具体的には、重労働となる作業員による拭き取り作業を排除することができるとともに、また、汚れの拭き残しを防止し、ドラム缶の外装不良を防止することができる。
【００３５】
また、チャイム及びその近傍への汚れ付着を気にすることなく、シーマー潤滑油量を適正に供給することができるため、ドラム缶において最も重要な内容物漏洩防止を保証するチャイム加工を実現しながら、高品質の製品を提供することができる。
具体的には、送り出し機構、巻き取り機構、及び押圧機構は、一体に移動可能な拭き取り材の拭き取りユニットを構成したことにより、ドラム缶の大きさや汚れの付着しやすい領域に応じて汚れ拭き取り装置のセット位置を適宜変更することができる。具体的には、進退昇降機構６５によってドラム缶の胴体高さ方向における位置及びドラム缶の胴体径方向における位置を臨機応変に変更可能である。
【００３６】
また、第１パットはドラム缶の胴体高さ方向で見て、チャイムの反胴体側に位置する外端縁部からチャイムの頂部に亘って拭き取り材を押圧接触可能な形状を有して形成され、第２パットはドラム缶の胴体高さ方向で見て、胴体からチャイムの胴体側に位置する内端縁部を経て頂部に亘って拭き取り材を押圧接触可能な形状を有して形成される。従って、チャイム１２の凸円弧面７２、隅部９０、凸円弧面８２及びチャイム１２近傍の胴体６に付着した汚れをタオル２６によって拭き残し無く拭き取ることが可能である。
【００３７】
本発明は上記実施例に制約されるものではなく、種々の変形が可能である。
具体的には、上記実施例の汚れ拭き取り装置４ではロールタオル４０から送り出されるタオル２６を拭き取り材として使用しているが、拭き取り材はこれに限定されない。
また、水や有機溶剤等からなる洗浄剤を含浸させた拭き取り材を使用しても良い。これにより、チャイム１２及びその近傍の汚れ除去効率が向上し、また、拭き取り材の長寿命化を実現可能である。但し、洗浄剤に有機溶剤を含む場合には防爆対応等に関する労働安全衛生法や消防法上の措置を設備に施す必要がある。
【００３８】
また、上記実施例の押圧機構３２で用いるパットの数、及びパットの形状はこれに限定されない。具体的にはチャイム１２の凸円弧面７２、隅部９０、凸円弧面８２及びチャイム１２近傍の胴体６に付着した汚れを拭き残し無く拭き取ることが可能であれば良い。
また、上記実施例では天板１０側と地板８側との双方にそれぞれ上側拭き取りユニット１８，下側拭き取りユニット２０が設けられるが、天板１０側又は地板８側のみに設けても良い。
【００３９】
また、上記実施例では、個々のドラム缶２毎に汚れ拭き取り領域５０をタオル２６の搬送方向にずらして汚れの拭き取りを行うが、拭き取りユニット１８，２０自体を進退昇降機構６５によって昇降することで汚れ拭き取り領域５０を上下にずらして汚れの拭き取りを行うようにしても良い。この場合にはロールタオル４０の消耗を抑制することができて好ましい。
【００４０】
最後に、上記実施例では、密閉型ドラム缶２の汚れ拭き取り装置４について説明したが、この汚れ拭き取り装置４はオープン型ドラム缶にも適用可能である。オープン型ドラム缶は、天板１０の代わりに開閉可能な天蓋を備える。この場合には、上側拭き取りユニット１８に、前述の第１パット５２に相当する、天蓋外周縁部の形状に見合うパットを配置することで、この部分の拭き取りも可能である。
【００４１】
また、地板８側には、胴体６の下端縁及び地板８の外周縁に密閉型の場合と同様のチャイムが形成されるため、このチャイムの汚れを下側拭き取りユニット２０によって拭き取り可能となる。
【符号の説明】
【００４２】
２      密閉型ドラム缶（ドラム缶）
４      汚れ拭き取り装置（ドラム缶用汚れ拭き取り装置）
６      胴体
８      地板
１０      天板
１２      チャイム
１４      チャイム
１６      回転機構
１８      上側拭き取りユニット（拭き取りユニット）
２０      下側拭き取りユニット（拭き取りユニット）
２６      タオル（拭き取り材）
２８      送り出し機構
３０      巻き取り機構
３２      押圧機構
５２      第１パット（パット）
５４      第２パット（パット）
６５      進退昇降機構（昇降機構、進退機構）
６８      外端縁部
７０      頂部
８０      内端縁部
【図１】
0005634445.tif 000002
【図２】
0005634445.tif 000003
【図３】
0005634445.tif 000004
【図４】
0005634445.tif 000005
【図５】
0005634445.tif 000006
【図６】
0005634445.tif 000007